(57)【特許請求の範囲】
【請求項１】
結像面での合焦度合いを調整するためのフォーカスレンズを有する撮影レンズと、
前記撮影レンズの結像面に配置され、前記撮影レンズを介して入力される被写体像を撮像して画像データとして出力する撮像素子と、
前記画像データから前記被写体像に関する情報を取得する情報取得手段と、
前記情報取得手段により取得されたコントラスト情報に基づき合焦度合いを示すフォーカス評価値を作成するフォーカス評価値作成手段と、
前記撮像素子から出力される画像データを表示する画像データ表示部と、を有する撮像装置であって、
ユーザの操作に応じて前記結像面における前記被写体像の合焦度合いを調整する合焦度合い調整部材と、
前記フォーカス評価値の変化と、前記情報取得手段により取得された前記コントラスト情報以外の情報の変化と、を検出する変化検出手段と、
を有し、
前記変化検出手段において検出される前記フォーカス評価値の変化量が第１の閾値よりも大きく、前記コントラスト情報以外の情報の変化量が第２の閾値よりも小さいとき、前記合焦度合い調整部材が操作されていると判断して、前記画像データ表示部に合焦状態を確認するための合焦状態確認画面を表示することを特徴とする撮像装置。
【請求項２】
前記コントラスト情報以外の情報は、輝度情報である、
請求項１記載の撮像装置。
【請求項３】
前記情報取得手段は、被写体までの距離を測定する測距手段を含み、
前記コントラスト情報以外の情報は、距離情報である、
請求項１記載の撮像装置。
【請求項４】
前記合焦状態確認画面は、
前記撮像素子から出力された画像データの全部または一部を所定の倍率で拡大した画像データである、
請求項１乃至３のいずれかに記載の撮像装置。
【請求項５】
前記合焦状態確認画面は、
前記撮像素子から出力された画像データの一部を所定の倍率で拡大した画像データと前記撮像素子から出力された画像データとを重ね合わせた画像データである、
請求項１乃至３のいずれかに記載の撮像装置。
【請求項６】
前記合焦状態確認画面は、
前記撮像素子から出力された画像データの全部または一部について輪郭線で表示した画像データである、
請求項１乃至３のいずれかに記載の撮像装置。
【請求項７】
前記合焦状態確認画面は、
前記撮像素子から出力された画像データの一部について輪郭線のみで表示した画像データと前記撮像素子から出力された画像データとを重ね合わせた画像データである、
請求項１乃至３のいずれかに記載の撮像装置。
【請求項８】
前記合焦状態確認画面は、
前記撮像素子から出力された画像データの全部または一部について輪郭部分を強調した画像データである、
請求項１乃至３のいずれかに記載の撮像装置。
【請求項９】
前記合焦状態確認画面は、
前記撮像素子から出力された画像データの一部の輪郭部分を強調した画像データと前記撮像素子から出力された画像データとを重ね合わせた画像データである、
請求項１乃至３のいずれかに記載の撮像装置。
【発明の詳細な説明】
【技術分野】
【０００１】
本発明は、マニュアルフォーカス機能を備えた撮像装置に関するものである。
【背景技術】
【０００２】
従来から、撮像素子で受光した被写体像を内蔵する液晶表示装置（ＬＣＤ）等の表示部に、画像データとして表示する撮像装置が知られている。これらの撮像装置は、表示部に撮影前の被写体像をライブ映像として表示する機能、いわゆるライブビュー表示機能を備えている。
【０００３】
このような撮像装置においてマニュアルフォーカス（以下「ＭＦ」とする。）によるピント合せをするときに、合焦状態をより詳細に確認できるようにして、ピント合わせを補助する機能が知られている。例えば、ＭＦの操作を行うときに、ライブビュー表示機能よって、表示部に表示されていた被写体画像を拡大して表示することで、ＭＦによるピント合わせを補助することができる撮像装置が知られている（例えば「特許文献１」を参照）。また、ＭＦの操作を行うときに、ライブビュー表示をされている画像の中で最も合焦している領域の画像部分を拡大して表示する撮像装置が知られている（例えば「特許文献２」を参照）。
【０００４】
特許文献１の撮像装置は、本体の背面に設けられたレフトキー（Ｌ）とライトキー（Ｒ）を用いてＭＦを実行する。よって、レフトキー（Ｌ）やライトキー（Ｒ）が押下されたことをシステム制御部が検知すると、ＭＦ時の拡大画像表示を行う。
【０００５】
特許文献２の撮像装置は、本体の背面に設けられた倍率変更ボタンが押下されたことをＣＰＵが検知したときに、もっとも合焦している画像領域を拡大表示するための倍率を指定することができる。これによって、合焦状況の調整を容易に行うことができる。
【０００６】
特許文献１のレフトキー（Ｌ）やライトキー（Ｒ）と、特許文献２の倍率変更ボタンのいずれも、撮像装置の本体に備わっている操作部材である。よって、上記の機能を動作させるには、この操作部材に対する所定の操作をＣＰＵ等の制御部が検知する必要がある。そのためには、操作部材とＣＰＵ等は電気的に接続されていることが必要である。
【０００７】
一方、撮影レンズが収納されたレンズ部と撮像素子と表示部を備える本体部の相互が、着脱可能な別体で構成されており、レンズ部を任意に交換することができる撮像装置が知られている。このような撮像装置は、ＭＦ操作を行うための部材（ＭＦ操作部材）をレンズ部に設けている。レンズ部に設けられているＭＦ操作部材は、例えばレンズ鏡胴周囲に設けられた環状の部材である。この環状の部材は、いわゆる「フォーカスリング」と呼ばれる。フォーカスリングによるＭＦ操作は、カメラ愛好家やプロのカメラマンの間で好まれている。
【０００８】
フォーカスリングを備える撮像装置において、特許文献１や特許文献２に記載されている機能と同じ機能を設けるには、フォーカスリングを有するレンズ部と、ＣＰＵ等の制御部を有する本体部との間で、フォーカスリングの操作を検知できる構成が必要となる。すなわち、フォーカスリングの回動方向と回動量を電気信号に変換して、これを本体側の制御部において検知可能な構成を要する。これらの構成は、特許文献１および特許文献２に記載されている構成、いわゆる「押下スイッチ型」によるものに比べて複雑な構成になる。
【０００９】
このような複雑な構成は、部品点数が増えて製造工程も複雑になることからコストアップとなる。また、このような複雑な構成をレンズ部及び本体部に配置するには、当該機構の収納空間が必要になるから、撮像装置が大型化する要因となる。
【００１０】
また、ＭＦ操作部材に対する操作を、本体側に備わる制御部であるＣＰＵに電気的に伝えるには、レンズ部と本体部との連結部に電気接点等を設ける必要がある。そのためには、接点の位置や電気信号の形式や手順を整合させる必要がある。このような環境を整えて対応するには、レンズ部と本体部の互換性を保つための制約条件となるため、開発には多大な労力を要する。
【発明の概要】
【発明が解決しようとする課題】
【００１１】
本発明は上記の課題に鑑みてなされたものであって、ＭＦ操作部材と本体部との間に電気的な接点を設けることなく、ＭＦ操作部材の操作に応じて合焦状態確認画面を表示させることができる撮像装置を提供することを目的とする。
【課題を解決するための手段】
【００１２】
本発明は、結像面での合焦度合いを調整するためのフォーカスレンズを有する撮影レンズと、前記撮影レンズの結像面に配置され、前記撮影レンズを介して入力される被写体像を撮像して画像データとして出力する撮像素子と、前記画像データから前記被写体像に関する情報を取得する情報取得手段と、前記情報取得手段により取得されたコントラスト情報に基づき合焦度合いを示すフォーカス評価値を作成するフォーカス評価値作成手段と、前記撮像素子から出力される画像データを表示する画像データ表示部と、を有する撮像装置であって、ユーザの操作に応じて前記フォーカスレンズによる前記結像面での合焦度合いを調整する合焦度合い調整部材と、前記フォーカス評価値の変化と、前記情報取得手段により取得された前記コントラスト情報以外の情報の変化を検出する変化検出手段と、を有し、前記変化検出手段において検出される前記フォーカス評価値の変化量が第１の閾値よりも大きく、前記コントラスト情報以外の情報の変化量が第２の閾値よりも小さいとき、前記合焦度合い調整部材が操作されていると判断して、前記画像データ表示部に合焦状態を確認するための合焦状態確認画面を表示する、ことを主な特徴とする。
【発明の効果】
【００１３】
本発明によれば、電気信号を用いてＭＦ操作を検出しなくても、ＭＦ操作時の被写体の合焦状態を確認しやすい表示にさせることができる。
【図面の簡単な説明】
【００１４】
【図１】本発明に係る撮像装置の実施形態に係る正面図である。
【図２】上記撮像装置の実施形態を示す背面図である。
【図３】上記撮像装置の実施形態を示す上面図である。
【図４】上記撮像装置の制御系の実施形態を示す機能ブロック図である
【図５】上記撮像装置が合焦調整に用いるコントラスト情報の変化の例を示すグラフである。
【図６】上記撮像装置における輝度値の変化の例（ａ）、およびフォーカス評価値の変化の例（ｂ）、を示すグラフである。
【図７】上記撮像装置が実行する撮像処理の例を示すフローチャートである。
【図８】上記撮像処理が実行されたときに表示される合焦状態確認画面の例を示すイメージ図である。
【図９】上記撮像処理が実行されたときに表示される合焦状態確認画面の別の例を示すイメージ図である。
【図１０】上記撮像装置が実行する撮像処理の別の例を示すフローチャートである。
【図１１】上記撮像装置が実行する撮像処理の別の例を示すフローチャートである。
【図１２】上記撮像装置が備えるエッジ抽出手段の実施形態を示すブロック図である。
【図１３】上記撮像装置が備える表示部に表示された被写体画像の例を示す図である。
【図１４】上記撮像装置が実行する合焦状態開始処理において、表示部に表示される被写体画像の例を示す図である。
【図１５】上記撮像装置が実行する合焦状態開始処理において、表示部に表示される被写体画像の別の例を示す図である。
【図１６】上記撮像装置が実行する合焦状態開始処理において、表示部に表示される被写体画像の別の例を示す図である。
【図１７】上記撮像装置が備える輪郭強調手段の実施形態を示すブロック図である。
【図１８】上記撮像装置が実行する合焦状態開始処理において、表示部に表示される被写体画像の別の例を示す図である。
【図１９】上記撮像装置が実行する合焦状態開始処理において、表示部に表示される被写体画像の別の例を示す図である。
【図２０】上記撮像装置が実行する合焦状態開始処理において、表示部に表示される被写体画像の別の例を示す図である。
【発明を実施するための形態】
【００１５】
以下、本発明に係る撮像装置の実施形態について図面を用いながら説明する。図１から図３は、本発明に係る撮像装置の実施例であるデジタルカメラ１０の外観図であり、図１は正面図、図２は背面図、図３は上面図である。図１に示すように、本実施例に係るデジタルカメラ１０のカメラボディＣＢの正面には、撮影レンズ（フォーカスレンズを含む）を備えており、本体部であるカメラボディＣＢと着脱自在の鏡胴ユニット１と、測距用レンズと測距用素子を含む測距ユニット２と、ストロボ発光部３と、リモコン受光部４と、を配置してなる。カメラボディＣＢの一方の側面部には、メモリカード装填室および電池装填室の蓋５が設けられている。
【００１６】
図２に示すように、本実施例に係るデジタルカメラ１０のカメラボディＣＢの背面には、操作キー部６と、撮影レンズによって撮像素子に結像された被写体像を画像データとして表示する画像データ表示部であるＬＣＤモニタ７と、電源スイッチ８と、ズームボタン９と、を配置してなる。
【００１７】
また、図３に示すように、本実施例に係るデジタルカメラ１０のカメラボディＣＢの上面には、レリーズボタンであるＳＷ１と、デジタルカメラ１０の動作モードを切り換えるモードダイアルＳＷ２が配置されている。デジタルカメラ１０が有する動作モードには、撮影モードと再生モードがあり、撮影モードには、オートフォーカス撮影モード、マニュアルフォーカス（ＭＦ）撮影モードなどがある。
【００１８】
また、図３に示すように鏡胴ユニット１には、フォーカスレンズを手動で操作するためのフォーカスリング１１が配置されている。フォーカスリング１１は、正面視円形の鏡胴ユニット１の周方向に回動する部材である。フォーカスリング１１が回動されると、鏡胴ユニット１の内部に配置されているフォーカスレンズが撮像素子の光軸方向前後（紙面上下方向）に移動する。このフォーカスレンズによって、撮像素子の結像面における被写体像の合焦度合いを調整することができる。
【００１９】
次に、本発明に係る撮像装置の機能ブロックの例について図４を用いて説明する。本発明に係る撮像装置の各種動作（処理）は、後述するＲＯＭ１０９に予め記憶されているプログラムと、デジタル信号処理ＩＣ（集積回路）等として構成されるデジタルカメラプロセッサ１０４（以下、単に「プロセッサ１０４」という。）によって制御される。プロセッサ１０４は、第１の撮像信号処理ブロック１０４−１，第２の撮像信号処理ブロック１０４−２，ＣＰＵ（中央処理ユニット）ブロック１０４−３，ローカルＳＲＡＭ（ＳＲＡＭ：スタティックランダムアクセスメモリ）１０４−４，ＵＳＢ（ユニバーサルシリアルバス）ブロック１０４−５，シリアルブロック１０４−６，ＪＰＥＧコーデック（ＣＯＤＥＣ）ブロック１０４−７，リサイズ（ＲＥＳＩＺＥ）ブロック１０４−８，画像信号表示ブロック１０４−９、およびメモリカードコントローラブロック１０４−１０を有してなる。これら各ブロックは相互にバスラインで接続されている。
【００２０】
プロセッサ１０４の外部には、ＲＡＷ−ＲＧＢ画像データ、ＹＵＶ画像データおよびＪＰＥＧ画像データを保存するためのＳＲＡＭ（シンクロナスランダムアクセスメモリ）１０３、ＲＡＭ１０７、内蔵メモリ１２０および制御プログラムが格納されたＲＯＭ１０９が配置されており、これらはバスラインを介してプロセッサ１０４に接続されている。
【００２１】
鏡胴ユニット１は、ズーム（ＺＯＯＭ）レンズ１−１ａを有するズーム光学系１−１、フォーカス（ＦＯＣＵＳ）レンズ１−２ａを有するフォーカス光学系１−２、絞り１−３ａを有する絞りユニット１−３およびメカニカルシャッタ（メカシャッタ）１−４ａを有するメカシャッタユニット１−４、を備えている。ズーム光学系１−１，フォーカス光学系１−２，絞りユニット１−３およびメカシャッタユニット１−４はそれぞれズーム（ＺＯＯＭ）モータ１−１ｂ、フォーカス（ＦＯＣＵＳ）モータ１−２ｂ、絞りモータ１−３ｂおよびメカシャッタモータ１−４ｂによって駆動される。これらズームモータ１−１ｂ、フォーカスモータ１−２ｂ、絞りモータ１−３ｂおよびメカシャッタモータ１−４ｂの各モータはモータドライバ７−５によって駆動され、モータドライバ７−５はＣＰＵブロック１０４−３によって動作が制御される。
【００２２】
また、モードダイヤルＳＷ２によってマニュアルフォーカス（ＭＦ）モードが選択されているときには、フォーカスレンズ１−２ａは、フォーカスリング１１（図３参照）が回動操作されることによって移動する。
【００２３】
鏡胴ユニット１のズームレンズ１−１ａおよびフォーカスレンズ１−２ａは、撮像素子の一例であるＣＣＤ１０１の撮像面上に被写体像を結像するための撮影レンズを構成する。ＣＣＤ１０１は、被写体像を電気的な画像信号に変換してＦ／Ｅ−ＩＣ（フロントエンドＩＣ）１０２に向けて出力する。
【００２４】
Ｆ／Ｅ−ＩＣ１０２は、ＣＤＳ（相関２重サンプリング部）１０２−１、ＡＧＣ（自動利得制御部）１０２−２およびＡ／Ｄ（アナログ−デジタル）変換部１０２−３を有してなる。Ｆ／Ｅ−ＩＣ１０２は、ＣＣＤ１０１から入力された画像信号に対して、所定の処理を施し、デジタル画像信号として出力する。このデジタル画像信号は、プロセッサ１０４の第１の撮像信号処理ブロック１０４−１に入力される。
【００２５】
Ｆ／Ｅ−ＩＣ１０２に係るこれらの信号処理動作は、第１の撮像信号処理ブロック１０４−１から出力されるＶＤ信号（垂直駆動信号）とＨＤ信号（水平駆動信号）によって、処理のタイミングが制御される。ＴＧ（タイミングジェネレータ）１０２−４は、ＶＤ信号とＨＤ信号に応じて上記の信号処理動作が行われるように制御をする。
【００２６】
第１の撮像信号処理ブロック１０４−１は、ＣＣＤ１０１からＦ／Ｅ−ＩＣ１０２を経由して入力されたデジタル画像信号に対して、ホワイトバランス調整およびγ調整等の信号処理を行う。また、上述したように、Ｆ／Ｅ−ＩＣ１０２の信号処理動作を制御するＴＧ１０２−４に対して、ＶＤ信号およびＨＤ信号を出力する。
【００２７】
プロセッサ１０４のＣＰＵブロック１０４−３は、音声記録回路１１５−１による音声記録動作を制御する。音声記録回路１１５−１は、マイクロホン（マイク）１１５−３で変換されマイクロホンアンプ（マイクＡＭＰ）１１５−２によって増幅した音声信号を、ＣＰＵブロック１０４−３の指令に応じて記録する。
【００２８】
また、ＣＰＵブロック１０４−３は、音声再生回路１１６−１の動作も制御する。音声再生回路１１６−１は、ＣＰＵブロック１０４−３の指令により、適宜なるメモリに記録されている音声信号をオーディオアンプ（オーディオＡＭＰ）１１６−２で増幅してスピーカー１１６−３に入力し、スピーカー１１６−３から音声を再生出力する。
【００２９】
また、ＣＰＵブロック１０４−３は、ストロボ回路１１４を制御して動作させることによりストロボ発光部３から照明光を発光させる。また、ＣＰＵブロック１０４−３は、被写体距離を測定する測距ユニット２の動作も制御する。
【００３０】
さらに、ＣＰＵブロック１０４−３は、プロセッサ１０４の外部に配置されたサブＣＰＵ（ＳＵＢ−ＣＰＵ）１０８にも結合されており、サブＣＰＵ１０８は、リモコン受光部４，操作キー部６およびブザー１１３にもそれぞれ結合されている。サブＣＰＵ１０８はリモコン受光部４を介して受光したリモコン信号をＣＰＵブロック１０４−３に伝達する。また、操作キー部６にて行われた操作に応じた信号をＣＰＵブロック１０４−３に伝達する。
【００３１】
ＵＳＢブロック１０４−５は、ＵＳＢコネクタ１２２に結合される。シリアルブロック１０４−６は、シリアルドライバ回路１２３−１を介してＲＳ−２３２Ｃコネクタ１２３−２に結合される。
【００３２】
画像信号表示ブロック１０４−９は、ＬＣＤドライバ１１７を介してＬＣＤモニタ７に結合され、また、画像信号表示ブロック１０４−９は、ビデオアンプ（ＡＭＰ）１１８を介してビデオコネクタ１１９にも結合される。
【００３３】
メモリカードコントローラブロック１０４−１０は、メモリカードスロット１２１のカード接点に結合されている。メモリカードがこのメモリカードスロット１２１に装填されると、メモリカードの接点に接触して電気的に接続され、装填されたメモリカードに画像ファイルを記憶する。
【００３４】
次に、上述のように構成された撮像装置の動作について説明する。操作キー部６に含まれるモードダイヤルＳＷ２がマニュアル撮影モードに設定されると、サブＣＰＵ１０８を経由してＣＰＵブロック１０４−３がモードダイヤルＳＷ２の設定を検知し、ＣＰＵブロック１０４−３がモータドライバ７−５を制御して、鏡胴ユニット１を撮像可能な位置に移動させる。さらに、撮像素子であるＣＣＤ１０１、Ｆ／Ｅ−ＩＣ１０２およびＬＣＤモニタ７等の各部に電源が投入されて動作開始状態となる。動作開始状態になると、各部の電源が投入されて、ライブビューモードでの動作が開始される。
【００３５】
ライブビューモードでは、鏡胴ユニット１の撮影レンズを介して撮像素子であるＣＣＤ１０１に結像した被写体像を、画像データとして所定のフレームレート（例えば６０フレーム毎秒）でＬＣＤモニタ７に表示する。
【００３６】
ＣＣＤ１０１の受光面に結像された被写体像は、電気信号（画像信号）として出力される。この電気信号は、Ｒ（赤）・Ｇ（緑）・Ｂ（青）のアナログ信号である。このＲＧＢアナログ信号がＣＤＳ１０２−１に入力されて、ＡＧＣ１０２−２を介してＡ／Ｄ変換器１０２−３においてデジタル信号に変換される。変換されたＲＧＢデジタル信号は、プロセッサ１０４内の第２の撮像信号処理ブロック１０４−２が具備するＹＵＶ変換手段によってＹＵＶ画像データに変換される。
【００３７】
変換されたＹＵＶ画像データは、フレームメモリとしてのＳＲＡＭ１０３に記録される。なお、第２の撮像信号処理ブロック１０４−２は、ＲＧＢデジタル信号（画像信号）にフィルタリング処理等の適切な処理を施してＹＵＶ画像データに変換する。このＹＵＶ画像データは、ＣＰＵブロック１０４−３により読み出され、画像信号表示ブロック１０４−９を介してビデオアンプ１１８およびビデオコネクタ１１９を介して外部表示装置（テレビジョン等）に出力されて表示される。あるいは、ＬＣＤドライバ１１７を介してＬＣＤモニタ７へ出力されて表示される。
【００３８】
ライブビューモードの開始とともに、第１の撮像信号処理ブロック１０４−１が、取り込んだＲＧＢデジタル信号から、合焦の度合いを示すフォーカス評価値および被写体の明るさを示す輝度値を作成する。フォーカス評価値と輝度値は、デジタルカメラ１０が撮像をするために取得する被写体像に関する情報である。なお、フォーカス評価値は、ＣＣＤ１０１が出力する全画像領域に係る画像信号を対象として算出してもよいが、一部の画像領域に係る画像信号を対象として算出してもよい。例えば、画角の中央付近の一定の画像領域に係る画像信号を用いてフォーカス評価値を算出してもよい。
【００３９】
ここで、フォーカス評価値について説明する。ＣＣＤ１０１の受光面に結像された被写体像が「合焦状態にあるとき」と「合焦状態ではないとき」とを比較すると、被写体像が合焦状態にあるときは、その被写体像に含まれるエッジ部分が鮮明なので、このエッジ部分に係る隣接画素間の輝度値の差は大きくなる。一方、被写体像が合焦状態ではないときは、その被写体像に含まれるエッジ部分が不鮮明になるので、このエッジ部分に係る隣接画素間の輝度値の差は小さくなる。つまり、合焦状態にあるときは、被写体像に係る画像信号に含まれる空間周波数の高周波成分が最も高くなる状態である。
【００４０】
フォーカス評価値は、隣接画素間の輝度値の差、すなわち被写体のコントラストに基づいた情報であり、例えば変位量に対する微分値のように、高周波成分の高さを反映した値であるから、フォーカス評価値が極大値になるフォーカスレンズ１−２ａの位置が、合焦状態となる撮影レンズの位置となる。ＭＦ操作時は、フォーカスリング１１を撮影者が操作し、フォーカスレンズ１−２ａを移動させて結像状態の調整をする。このフォーカスレンズ１−２ａが移動されている間も、上記のように所定のタイミングで画像信号が読み出されており、それぞれの画像信号に応じてフォーカス評価値が算出される。
【００４１】
ここで、フォーカス評価値とフォーカスレンズ１−２ａの位置の関係を図５のグラフを用いて説明する。図５のグラフは、横軸をフォーカスレンズ１−２ａの位置とし、縦軸をフォーカス評価値の大きさとしたものである。図５においてグラフＧ１は、フォーカスレンズ１−２ａの位置が無限遠から至近の間で移動するときに、所定の時間間隔で算出されたフォーカス評価値の大きさの変化を示している。図５に示した例では、フォーカス評価値は、初期のレンズ位置（例えば無限遠）から、フォーカスリング１１の操作によって、フォーカスレンズ１−２ａが至近側へと移動すると、これに応じて大きくなる。フォーカス評価値は合焦位置で極大になり（傾きがゼロになり）、さらにフォーカスレンズ１−２ａを移動させると、フォーカス評価値が小さくなる。
【００４２】
実際の合焦調整の操作は、いわゆるピンボケの状態からピントが合う方向に徐々にフォーカスレンズ１−２ａを動かしていき、合焦状態を一度通過してから若干戻す、というようにフォーカスリング１１の操作が行われる。そして、フォーカスリング１１の操作がされると、合焦度合が変化するのでフォーカス評価値は変化し、合焦状態になった後は、フォーカスリング１１の操作は行われないので、フォーカス評価値は一定の値となる。
【００４３】
フォーカス評価値は隣接画素間の輝度値の差、すなわち、被写体のコントラストに基づく情報である。よって、被写体の状態が変化せず、かつ、フォーカスリング１１の操作がされないときには、フォーカス評価値は変化しないはずである。
【００４４】
一方、輝度値（Ｙデータ）は、コントラストに関係なく、撮像素子であるＣＣＤ１０１から出力された画像信号であるＲＧＢ信号に対して、第２の撮像信号処理ブロック１０４−２におけるＹＵＶ変換処理によって算出される。この輝度値は前述のとおり、デジタルカメラ１０が「撮像をするために取得する被写体像に関する情報」の一つである。つまり輝度値は、画像信号に含まれている被写体や背景の明るさの度合いに変化が無ければ、ほぼ一定となる。言い換えると撮影しようとしている被写体を含んだ構図に変化がなければ、輝度値はほぼ一定となる。
【００４５】
このように、Ｆ／Ｅ−ＩＣ１０２、第１の撮像信号処理ブロック１０４−１、第２の撮像信号処理ブロック１０４−２を有してなる情報取得手段によって、被写体像に関する情報が取得されて、第２の撮像信号処理ブロック１０４−２を有してなるフォーカス情報作成手段によってコントラスト情報であるフォーカス評価値が作成され、また、第２の撮像信号処理ブロック１０４−２によってコントラスト情報以外の情報（例えば輝度値）が作成される。
【００４６】
フォーカスリング１１が操作されたことを検出するには、輝度値とフォーカス評価値の変動パターンを合わせて判定すればよい。ここで、輝度値とフォーカス評価値の変化と、フォーカスリング１１の操作検出の関係について図６のグラフを用いて説明する。図６（ａ）は輝度値の経時変化の例を示すグラフであって、横軸を時間軸とし、縦軸を輝度値の大きさとしている。図６（ｂ）は、フォーカル評価値の経時変化の例を示すグラフであって、横軸を時間軸とし、縦軸をフォーカス評価値の大きさとしたものである。
【００４７】
被写体に大きな変化がなければ、図６（ａ）に示すように、輝度値グラフＧ２はほぼ一定になる。実際には、測定誤差により微妙に変化するが、グラフＧ２のように一点鎖線で示した幅（所定の値ｂ）の範囲内での変動であれば、輝度値はほぼ変わらず、被写体像に変化はないと判定することができる。
【００４８】
一方、フォーカス評価値グラフＧ３は、時刻Ａから時刻Ｂの間に、所定の画像信号取得タイミング（例えば４回）が到来しているときに、この間のフォーカス評価値の変動量が所定の値ａを超えている。すなわち、所定の画像取得タイミングの間で、輝度値グラフＧ２の変動が第２の閾値である所定の値ｂを超えることがなく、フォーカス評価値グラフＧ３の変動量は第１の閾値である所定の値ａを、所定の回数以上に越えているので、フォーカスリング１１が操作されて、合焦調整操作が行われていると判定することができる。
【００４９】
つまり、被写体情報に含まれるコントラスト情報（フォーカス評価値）と、コントラスト情報以外の情報（例えば輝度値）の、それぞれについての変化量を判定した結果、フォーカス評価値が所定の変動幅以上の変動をしているときに、輝度値が所定の変動幅以内で略一定であれば、被写体は変化しておらず、フォーカスリング１１によってＭＦ操作が行われていると判定することができる。
【００５０】
そこで、時刻Ｂの経過時から合焦状態確認画面を表示すればよい。合焦状態確認画面の詳細は後述する。その後、ＭＦ操作が継続されてフォーカス評価値は変動し続けている間（時刻Ｂから時刻Ｃ）は、合焦状態確認画面が表示され続ける。
【００５１】
ＭＦ操作を止めたとき（時刻Ｃの後）、フォーカス評価値の変動量が所定の値ａよりも小さくなる。画像信号取得タイミングが所定の回数分経過する時刻Ｄまでの間において、一度も所定の値ａを超える変動をしていないときは、ＭＦ操作が終了していると判定することができる。ただし、すぐに合焦状態確認画面の表示を止めるのではなく、時刻Ｄの経過後に終了タイマがセットされて、所定の時間の経過を待つ。時刻Ｄから時刻Ｅに至る間で、フォーカス評価値の変動量が所定の値ａを超えないときは、ＭＦ操作が終了していると判定し、合焦状態確認画面の表示から、通常のライブビュー表示に戻す。
【００５２】
上記の判定処理は、プロセッサ１０４内の演算手段によって構成される変化検出手段によって実行される。
【００５３】
次に、本発明に係る撮像装置において実行される撮像処理の例について、図７のフローチャートを用いて説明する。以下に説明する撮像処理は、ＭＦ操作が行われたときにライブビュー画像を合焦状態を確認しやすい表示にする処理に係るものである。図７において各処理ステップを（Ｓ１０１）、（Ｓ１０２）・・・のように表記する。まず、ＭＦモードが選択されていることを確認する処理が行われる（Ｓ１０１）。ＭＦモードが選択されていなければ、本処理は終了する（Ｓ１０１のＮＯ）。ＭＦモードが選択されていれば（Ｓ１０１のＹＥＳ）、フォーカス評価値の変化カウンタ（α）をリセットする（Ｓ１０２）。変化カウンタαは、フォーカス評価値が所定の変動幅を超えて変動した回数をカウントするために用いる。
【００５４】
続いて、画像信号読み出しタイミングの判定をする（Ｓ１０３）。ライブビュー表示に用いられる画像データは、上述したように、ＣＣＤ１０１が出力した画像信号をＦ／Ｅ−ＩＣ１０２を介して第１の撮像信号処理ブロック１０４−１が所定のタイミングで読み出した画像信号から生成される。この画像信号の読み出しタイミング（フレームレート）は、例えば６０フレーム毎秒である。つまり、約１６ミリ秒ごとに、第１の撮像信号処理ブロック１０４−１はＦ／Ｅ−ＩＣ１０２から画像信号を読み出している。
【００５５】
そこで、処理Ｓ１０３においては、この約１６ミリ秒ごとの読み出しタイミングであるか否かを判定し、読み出しタイミングであれば（Ｓ１０３のＹＥＳ）、次の処理に移行し、読み出しタイミングでは無ければ（Ｓ１０３のＮＯ）、処理をループする。
【００５６】
続いて、輝度値が算出される（Ｓ１０４）。輝度値は、読み出された画像信号をＲＧＢ信号からＹＵＶ信号に変換することで算出され、被写体の状態に変化がなければ、輝度値もほぼ一定になる。輝度値の算出は、画像信号の全領域に対して行ってもよいが、画像信号を複数の領域に区分けをして、画像領域ごとに算出した輝度値を用いて後段の処理を行ってもよい。また、画像の中央部分の所定の領域の輝度値のみを用いて後段の処理を行ってもよい。
【００５７】
続いてフォーカス評価値を取得する（Ｓ１０５）。フォーカス評価値はすでに説明をしたとおり、隣接画素間の輝度値の差分に基づいて算出される。取得された輝度値とフォーカス評価値は、例えばＲＡＭ１０７に順次記憶されて、続く処理に用いられる。
【００５８】
続いて、フォーカス評価値の変化量（変動幅）を算出し、この変化量が第１の閾値である所定の値ａを超えているか否かを判定する（Ｓ１０６）。フォーカス評価値の変化量は、例えば、最新に取得されたフォーカス評価値から、一つ前のタイミングで取得されたフォーカス評価値を差し引いた値とする。この変化量が所定の値ａよりも小さければ（Ｓ１０６のＮＯ）、本処理を終了する。変化量が所定の値ａよりも大きければ（Ｓ１０６のＹＥＳ）、次の処理に移行する。
【００５９】
続いて輝度値の変化量（変動幅）が第２の閾値である所定の値ｂ以下であるか否かを判定する（Ｓ１０７）。輝度値の変化量は、例えば、最新の画像取得タイミングに係る輝度値から、一つ前の画像取得タイミングに係る輝度値を差し引いた値とする。この変化量が所定の値ｂよりも大きければ、被写体像が大きく変化している状態であるから、ＭＦ操作をしている状態にはないと判定することができる。「被写体像が大きく変化している状態」とは、例えば、撮影レンズの向きを変えたり、被写体が移動している状態である。この状態はＭＦ操作をしているときではなく、その前段階である。よって、輝度値の変化が所定の値（ｂ）よりも大きいときは（Ｓ１０７のＮＯ）、本処理を終了する。
【００６０】
輝度値の変化量が、所定の値ｂ以下であれば（Ｓ１０７のＹＥＳ）、フォーカス評価値の変化は大きいが（Ｓ１０６のＹＥＳ）、輝度値は変化をしていない状態であるから（Ｓ１０７のＹＥＳ）、ＭＦ操作を行っている可能性がある。よって、それを判定するための指標として、フォーカス評価値の変化カウンタ(α)をカウントアップする（Ｓ１０８）。
【００６１】
続いて、変化カウンタαが所定の値、例えば、４以上であるか否かを判定する（Ｓ１０９）。変化カウンタαが４よりも小さければ、処理をＳ１０３に戻す。一方、変化カウンタαが４以上であれば、ＭＦ操作が行われていると判定し（Ｓ１０９）、合焦状態表示開始処理を実行する（Ｓ１１０）
【００６２】
ここで、処理Ｓ１０９において変化カウンタαの閾値として「４」を用いている理由を説明する。本実施例に係るデジタルカメラ１０は、既に説明をしたように、画像信号の読み出し間隔が約１６ミリ秒である。一般に操作部材を操作したときの反応時間は５０ミリ秒から１００ミリ秒が適切といわれている。この反応時間は経験則から得られている。反応時間が５０ミリ秒よりも短いと、ノイズによる誤動作の恐れが生じ、また、反応が過敏であると感じられるので不適である。また、反応時間が１００ミリ秒よりも長いと反応が鈍いと感じられるので不適である。
【００６３】
そこで、変化カウンタαの閾値を「４」に設定して、ＭＦ操作が行われているか否かを判定することで、最適な反応時間を再現することができる。本発明に係る撮像装置は、ＭＦ操作が行われているときは、ライブビュー表示を所定の方法で合焦状態表示処理を行うものであるから、上記の最適な反応時間をもってＭＦ操作が行われたことの反応としての合焦状態確認画面表示開始処理を行う（Ｓ１１０）。
【００６４】
合焦状態確認画面表示開始処理（Ｓ１１０）は、フォーカスリング１１が操作されたことが検知されたことによって（Ｓ１０９のＹＥＳ）、合焦状態の調整を行いやすくするための「合焦状態確認画面」を生成して、ＬＣＤモニタ７に表示する処理である。合焦状態確認画面は、例えばライブビュー表示の一部を拡大する表示である。この拡大表示する画像領域は、画面の中心から所定の範囲を拡大領域としてもよいし、フォーカス評価値を、全撮影領域を分割した領域ごとに算出する場合は、最も変動が大きい領域を拡大領域としてもよい。または予めユーザにより設定された位置を中心とした所定の範囲を拡大領域としてもよい。
【００６５】
次に、合焦状態確認画面表示開始処理（Ｓ１１０）が実行されたときに、ＬＣＤモニタ７に表示される合焦状態確認画面の表示例について、図を用いて説明する。図８は、ＬＣＤモニタ７に表示されている画像の合焦状態確認画面の表示例を示すイメージ図である。図８（ａ）は、ＬＣＤモニタ７の表示領域の中央付近と、拡大表示される領域を示す領域枠７１を表している。領域枠７１は、被写体像に重ね合わせて表示されてもよいし、表示されなくてもよい。
【００６６】
図８（ｂ）は、領域枠７１に表示されていた画像をＬＣＤモニタ７の表示領域の大きさに合うように拡大して表示する拡大画像７１ａの例を示すイメージ図である。図８（ｂ）に示すように、本実施例に係る撮像装置は、フォーカスリング１１の操作がされていることを検知したときに、合焦状態確認画面表示開始処理（図７のＳ１１０）によって、ＬＣＤモニタ７に表示されている画像のうち、中央付近の所定の領域に表示されている画像をＬＣＤモニタ７の表示領域に合わせて拡大して表示することができる。
【００６７】
次に、合焦状態確認画面表示開始処理（図７のＳ１１０）が実行されたときにＬＣＤモニタ７に表示される合焦状態確認画面の別の表示例について説明する。図９は、ＬＣＤモニタ７に表示されている画像の合焦状態確認画面の別の表示例を示すイメージ図である。図９（ａ）は、図８（ａ）と同様に、ＬＣＤモニタ７の表示領域の中央付近と、拡大表示される領域を示す領域枠７１を表している。
【００６８】
図９（ｂ）は、領域枠７１に表示されていた画像を拡大し、拡大されていない元の画像に重ね合わせてＬＣＤモニタ７に表示する拡大画像７１ｂの例を示すイメージ図である。図９（ｂ）に示すように、本実施例に係る撮像装置は、フォーカスリング１１の操作がされていることを検知したときに、合焦状態確認画面表示開始処理（図７のＳ１１０）によって、合焦調整を行いたい画像部分のみを拡大して表示しつつ、その周囲の画角に含まれる画像も同時に確認しながら、ＭＦ操作を行って合焦調整をすることができる。
【００６９】
次に本実施例に係る撮像装置において実行される合焦状態表示終了処理の例について、図１０のフローチャートを用いて説明する。合焦状態確認画面表示開始処理（図７のＳ１１０）は、フォーカス評価値と輝度値の変動をソフトウェア処理に検知しているので、ＭＦ操作が終わった状態の検知もソフトウェア処理によって実行される。
【００７０】
合焦状態確認画面表示開始処理（図７のＳ１１０）が開始された後、変化カウンタαをリセットする処理を行う（Ｓ２０１）。続いて、画像信号の読み出しタイミングの判定をし（Ｓ２０２）、読み出しタイミングであれば（Ｓ２０２のＹＥＳ）、次の処理に移行する。読み出しタイミングで無ければ、処理をループする（Ｓ２０２のＮＯ）。この間、合焦状態確認画面表示開始処理（図７のＳ１１０）は継続している。
【００７１】
続いて、読み出された画像信号からフォーカス評価値が算出されて（Ｓ２０３）、ＲＡＭ１０７に順次記憶される。続いて、フォーカス評価値の変化量（変動幅）が所定の値ａを超えているか否かの判定をする（Ｓ２０４）。フォーカス評価値の変化量は、例えば、最新に取得されたフォーカス評価値から、一つ前のタイミングで取得されたフォーカス評価値を差し引いた値とする。この変化量が所定の値ａよりも大きければ（Ｓ２０４のＹＥＳ）、ＭＦ操作は継続していると判定し、当該処理を終了する。変化量が所定の値ａよりも小さいときは（Ｓ２０４のＮＯ）、フォーカス評価値の変化カウンタ(α)をカウントアップする（Ｓ２０５）。
【００７２】
続いて、変化カウンタαが所定の値を超えているか否かを判定する（Ｓ２０６）。ここで所定の値とは「４」である。変化カウンタαが４より大きいときは、ＭＦ操作は継続している可能性があるので、処理をＳ２０２に戻す（Ｓ２０６のＮＯ）。変化カウンタαが４以上であるときは、約６４ミリ秒に渡ってフォーカス評価値が変動していないことを表しているので、ＭＦ操作が行われていない状態であると判定することができる（Ｓ２０６のＹＥＳ）。
【００７３】
変化カウンタαが所定の値「４」を超えてすぐに合焦状態確認画面表示開始処理（図７のＳ１１０）をやめることもでき得るが、ＭＦ操作を一旦止めて合焦状態表示画像を確認している状態の後に再度ＭＦ操作を開始する可能性がある。このとき、約６４ミリ秒で合焦状態確認画面表示開始処理（図７のＳ１１０）を停止すると、ユーザにとって不便が生じる可能性がある。
【００７４】
そこで、本実施例に係るデジタルカメラ１０は、変化カウンタαが４以上であれば（Ｓ２０６のＹＥＳ）、まず終了タイマをセットする（Ｓ２０７）。次に、画像信号の読み出しタイミングを判定して、読み出しタイミングであれば（Ｓ２０８のＹＥＳ）、読み出された画像信号からフォーカス評価値を算出し（Ｓ２０９）、ＲＡＭ１０７に順次記憶させる。読み出しタイミングでなければ、処理をループする（Ｓ２０８のＮＯ）。
【００７５】
続いて、フォーカス評価値の変化量（変動幅）が所定の値ａを超えているか否かを判定し、変化量が所定の値ａよりも大きければ（Ｓ２１０のＮＯ）、ＭＦ操作が再開されたと判定し、当該処理を終了する。このとき、合焦状態確認画面表示開始処理（図６のＳ１１０）は継続される。変化量が所定の値ａよりも小さいとき（Ｓ２１０のＮＯ）、終了時間が経過しているか否かを判定する（Ｓ２１１）
【００７６】
処理Ｓ２１１の判定条件に用いる「時間」は、１秒から３０秒の間である。この時間は、予め任意に設定すればよい。この設定された時間が、ＭＦ操作が終了したことを検出した後に、合焦状態確認画面表示を継続させる時間となる。終了時間が到来または経過していないときは（Ｓ２１１のＮＯ）、処理をループさせる。終了時間が到来または経過しているときは（Ｓ２１１のＹＥＳ）、合焦状態確認画面表示終了処理（Ｓ２１２）が実行されて、通常のライブビュー画像に戻る。
【００７７】
このように、本実施例に係る撮像装置（デジタルカメラ１０）は、画像信号のコントラスト情報基づいたフォーカス評価値の変化と、コントラスト情報以外の情報である輝度値の変化を合わせて判定することで、フォーカスリング１１が操作されているか否かを判定することができる。そのため、レンズ部にフォーカスリング等のＭＦ操作部材が操作されたことを電気的に検知する検知機構を設ける必要がない。また、着脱可能なレンズユニットを換装することができる撮像装置において、本体部とレンズ部に電気的接点を設けることなく、最適なタイミングでＭＦ操作を検知し、これに応じて合焦状態を確認する画面を表示することができる。
【００７８】
次に、本発明に係る撮像装置において実行される撮像処理の別の例について、図１１のフローチャートを用いて説明する。図１１において各処理ステップを（Ｓ１０１）、（Ｓ１０２）・・・のように表記し、既に説明をした図７に係る処理と同じ処理については、同じ符号を付し、異なる処理を重点に説明する。
【００７９】
図１および図４に示したように、本実施例に係る撮像装置であるデジタルカメラ１０は測距ユニット２を備えている。測距ユニット２は、２つの測距用レンズと、これに対応する測距用の撮像素子を有し、プロセッサ１０４にて実行される演算手段によって測距情報を作成する測距手段を構成する。この測距手段によって。２つ測距用の撮像素子に結像した被写体像の視差を算出し、被写体までの距離を示す情報（距離情報）を作成する。
【００８０】
ＭＦモードが選択されている状態において（Ｓ１０１のＹＥＳ）、フォーカス評価値の変化カウンタ（α）がリセットされ（Ｓ１０２）、画像信号読み出しタイミングが判定される（Ｓ１０３）。
【００８１】
読み出しタイミングであれば（Ｓ１０３のＹＥＳ）、ＣＰＵブロック１０４−３が測距ユニット２から測距データを取得し（１０４ａ）、続いて読み出された画像信号からフォーカス評価値が作成される（Ｓ１０５）。算出された距離データとフォーカス評価値は、例えばＲＡＭ１０７に順次記憶されて、続く処理に用いられる。
【００８２】
続いて、フォーカス評価値の変化量（変動幅）が算出されて、この変化量が所定の値ａを超えているとき（Ｓ１０６のＹＥＳ）、測距データの変化量が所定の範囲（ｃ）以下であるか否かを判定する（Ｓ１０７ａ）。
【００８３】
測距データの変化量は、例えば、最新の画像取得タイミングで取得された測距データから、一つ前の画像取得タイミングで取得された測距データを差し引いた値とする。この変化量が所定の値（ｃ）よりも大きければ、デジタルカメラ１０と被写体の位置関係が大きく変化している状態であると推定できるから、このときにフォーカス評価値が変動をしていても、ＭＦ操作によるものではないと判定することができる。
【００８４】
測距データの変化量が、所定の値（ｃ）以下であれば（Ｓ１０７ａのＹＥＳ）、フォーカス評価値の変化は大きいが（Ｓ１０６のＹＥＳ）、測距データは変化をしていない状態であるから（Ｓ１０７ａのＹＥＳ）、ＭＦ操作を行っている可能性がある。よって、それを判定するための指標として、フォーカス評価値の変化カウンタ(α)をカウントアップする（Ｓ１０８）。
【００８５】
この変化カウンタαが所定の値を超えていれば（Ｓ１０９のＹＥＳ）、ＭＦ操作が行われていると判定して、合焦状態表示開始処理を実行する（Ｓ１１０）
【００８６】
このように、本実施例に係る撮像装置（デジタルカメラ１０）は、画像信号のコントラスト情報の変化と、コントラスト情報以外の情報である距離データの変化を合わせて判定することで、フォーカスリング１１が操作されているか否かを判定することができる。その結果、レンズ部にフォーカスリング等のＭＦ操作部材が操作されたことを電気的に験しする検知機構を設ける必要がない。また、着脱可能なレンズユニットを換装することができる撮像装置において、本体部とレンズ部に電気的接点を設けることなく、最適なタイミングでＭＦ操作を検知し、これに応じて合焦状態を確認する画面を表示することができる。
【００８７】
次に、本発明に係る撮像装置において実行される合焦状態表示開始処理（Ｓ１１０）において、表示部に表示される合焦状態確認画面の別に実施例について説明をする。合焦状態確認画面は、被写体の合焦状態をより容易に確認し、ＭＦ操作部の操作によって合焦状態を調整するために用いるものであるから、表示部に表示される被写体画像の輪郭部分（エッジ部分）を確認（視認）しやすい表示にすればよい。
【００８８】
例えば、図１２に示すエッジ抽出手段によって、画像信号からエッジ部分のみを抽出する信号処理を行い、エッジ抽出手段１０４１から出力された画像信号を用いて輪郭線のみを表示する画像を作成し、合焦状態確認画面として表示すればよい。エッジ抽出手段１０４１は、画像信号から算出された輝度値に対して所定のフィルタ処理を行う手段である。例えば、プロセッサ１０４の第２の撮像信号処理ブロック１０４−２において実行される。エッジ抽出手段１０４１が備えるフィルタは、ハイパスフィルタまたはバンドパスフィルタであればよい。
【００８９】
図１３に、ＬＣＤモニタ７に被写体画像７０が表示されている例を示す。図１３において、机の上に置かれているコーヒーカップＸが被写体である。図１３に示した被写体画像７０の輝度値をエッジ抽出手段１０４１によってフィルタ処理をした画像の表示例を図１４に示す。図１４において、ＬＣＤモニタ７には、輪郭線のみが表示されたエッジ抽出画像７０ａが表示されている。この画像７０ａは被写体画像７０におけるエッジ部分（輪郭線）を明るくそれ以外を暗く表示しているので、エッジ部分（輪郭線）が白く表示されている。この白く表示されているエッジ部分（輪郭線）が鮮明になるように、フォーカスリング１１を操作させることで、合焦状態に近づけることができる。
【００９０】
エッジ抽出画像には、その他のバリエーションもある。例えば、図１５に示すように、拡大される画像領域を示す領域枠７１（図８参照）に相当する部分のみ、エッジ抽出画像とし、それ以外は通常の画像表示とする被写体画像７０ｂを用いることもできる。
【００９１】
また、例えば、図１６に示すように、領域枠７１に相当する部分のみを拡大し、エッジ抽出画像として表示する被写体画像７０ｃを用いることもできる。
【００９２】
以上のように本実施例に係る撮像装置は、フォーカスリング１１が操作されていることを検出したときにＬＣＤモニタ７に表示する画像として、エッジ部分を抽出した画像によって合焦状態確認画面を表示することで、より簡単に合焦状態の確認をさせることができる。
【００９３】
次に、本発明に係る撮像装置において実行される合焦状態表示開始処理（Ｓ１１０）において、表示部に表示される合焦状態確認画面のさらに別に実施例について説明をする。
【００９４】
例えば、図１７に示す輪郭強調手段１０４２によって、画像信号からエッジ部分のみを抽出する信号処理を行ったものと、原画像信号とを加算した画像信号を用いて合焦状態確認画面として表示を行えばよい。輪郭強調手段１０４２は、画像信号から算出された輝度値に対して所定のフィルタ処理を行うことでエッジが抽出された画像と、フィルタ処理が行われていない原画像を合成して出力する手段である。輪郭強調手段１０４２は、例えば、プロセッサ１０４の第２の撮像信号処理ブロック１０４−２において実行される。輪郭強調手段１０４２が備えるフィルタは、ハイパスフィルタまたはバンドパスフィルタであればよい。
【００９５】
図１８において、ＬＣＤモニタ７に被写体画像７０が表示されている例（ａ）と、輪郭強調手段１０４２によってフィルタ処理を施された画像の表示例（ｂ）を示す。図１８（ｂ）において、ＬＣＤモニタ７には、輪郭強調画像７０ｄが表示されている。輪郭強調画像７０ｄは被写体画像７０におけるエッジ部分を強調して表示している。よって、輪郭部分以外は白く表示され、輪郭部分が黒く表示されている。この黒く表示されている輪郭部分が鮮明になるように、フォーカスリング１１を操作させることで、合焦状態に近づけることができる。
【００９６】
輪郭強調画像には、その他のバリエーションもある。例えば、図１９に示すように、拡大される画像領域を示す領域枠７１（図８参照）に相当する部分のみ、輪郭強調画像とし、それ以外は通常の画像表示とする被写体画像７０ｅを用いることもできる。
【００９７】
また、例えば、図２０示すように、領域枠７１に相当する部分のみを拡大し、エッジ抽出画像として表示する被写体画像７０ｆを用いることもできる。
【００９８】
以上のように本実施例に係る撮像装置は、フォーカスリング１１が操作されていることを検出したときにＬＣＤモニタ７に表示する画像とし、エッジ部分を強調した画像によって合焦状態確認画面を表示することでより簡単に合焦状態の確認をさせることができる。
【００９９】
以上説明をした本発明に係る撮像装置によれば、ＭＦに用いるフォーカスリングの操作を電気信号によって検知することなく、撮像素子から出力される画像信号に係る「撮像のために取得する被写体像に関する情報」の変化を把握することで、ＭＦ操作を検出することができる。これによって、複雑な構成を用いることなく、ＭＦ操作時に被写体画像を合焦状態が視認しやすい表示にさせることができる。
【０１００】
また、合焦状態をより確認し易くさせるために、ＭＦ操作時に被写体画像の「エッジ部分の画像」や、また、「エッジ部分を強調した画像」を表示することもできる。
【０１０１】
また、元の画像と「エッジ部分の画像」、または、元の画像と「エッジ部分を強調した画像」を重ねて表示することで、合焦状態の確認をより行いやすい画像を表示させることもできる。
【符号の説明】
【０１０２】
１  鏡胴ユニット
２  測距ユニット
７  ＬＣＤモニタ
１１  フォーカスリング
【先行技術文献】
【特許文献】
【０１０３】
【特許文献１】特許平１１−３４１３３１号公報
【特許文献２】特開２００４−２４２００９号公報
【図１】
0005849474.tif 000002
【図２】
0005849474.tif 000003
【図３】
0005849474.tif 000004
【図４】
0005849474.tif 000005
【図５】
0005849474.tif 000006
【図６】
0005849474.tif 000007
【図７】
0005849474.tif 000008
【図８】
0005849474.tif 000009
【図９】
0005849474.tif 000010
【図１０】
0005849474.tif 000011
【図１１】
0005849474.tif 000012
【図１２】
0005849474.tif 000013
【図１３】
0005849474.tif 000014
【図１７】
0005849474.tif 000015
【図１８】
0005849474.tif 000016
【図１９】
0005849474.tif 000017
【図２０】
0005849474.tif 000018
【図１４】
0005849474.tif 000019
【図１５】
0005849474.tif 000020
【図１６】
0005849474.tif 000021